(57)【要約】【課題】低コストで異なる長さのものを作ることができるとともに、特別な冶具などを必要とせずに容易に作ることができる旋回ジョイントを提供することである。【解決手段】一端１２Ａから他端１２Ｂまで貫通する筒状に形成され、一端１２Ａにパイプとの接続部を有する第１部材１２と、一端１０Ａから他端１０Ｂまで貫通する筒状に形成され、一端１０Ａにパイプとの接続部を有するとともに、他端１０Ｂが前記第１部材１２の他端１２Ｂに挿入することにより前記第１部材１２に接合される第２部材１０と、第２部材１０の他端１０Ｂ側の外周面と第１部材１２の他端１２Ｂ側の内周面の間に設けられたＯリング３０と、を備えた旋回ジョイントにおいて、前記第２部材１０の他端１０Ｂ側は、その先端部分が前記第１部材１２の一端１２Ａ側の先端よりも突出しており、その突出した先端部分には、前記第１部材１２及び第２部材１０を貫通方向に固定する固定部材３６が装着されていることを特徴とする。【選択図】図２
2006071024.tif 000002
【特許請求の範囲】
【請求項１】
一端から他端まで貫通する筒状に形成され、一端にパイプとの接続部を有する第１部材と、一端から他端まで貫通する筒状に形成され、一端にパイプとの接続部を有するとともに、他端が前記第１部材の他端に挿入することにより前記第１部材に接合される第２部材と、第２部材の他端側の外周面と第１部材の他端側の内周面の間に設けられたＯリングと、を備えた旋回ジョイントにおいて、
前記第２部材の他端側は、その先端部分が前記第１部材の一端側の先端よりも突出しており、その突出した先端部分には、前記第１部材及び第２部材を貫通方向に固定する固定部材が装着されていることを特徴とする旋回ジョイント。
【請求項２】
前記固定部材は、前記第２部材の突出した先端部分に脱着可能に装着されていることを特徴とする請求項１記載の旋回ジョイント。
【請求項３】
前記第２部材の突出した先端部分には、溝が形成されており、
前記固定部材には、前記溝に嵌入可能な突起片が設けられていることを特徴とする請求項１又は２記載の旋回ジョイント。
【発明の詳細な説明】
【技術分野】
【０００１】
本発明は、二つの配管を連結する旋回ジョイントに関する。
【背景技術】
【０００２】
従来から、配管などパイプ状のものを二つ接続するものとして、ジョイントが使用されており、例えば、Ｌ字状に曲がった配管同士を接続するジョイントとして旋回ジョイントが用いられている。すなわち、図５に示すようにＬ字状に曲がった配管５０、５２同士を接続する場合、通常のジョイントを使用するとＬ字状の配管５０、５２自体を回転させる必要があり、Ｌ字状の配管５０、５２を回転させるスペースを確保することができない場合、接続することができないが、旋回ジョイント５４の場合、両側それぞれを互いに回転させることができるので、Ｌ字状の配管５０、５２を回転させなくても、両配管５０、５２を接続することが可能である。また、旋回ジョイント５４を使用した場合、図５に示すようなＬ字状の配管５０、５２の位置関係を容易に維持することができる。
【０００３】
従来の旋回ジョイント５４は、図６に示すように一端５６Ａから他端５６Ｂまで貫通する筒状に形成され、一端５６Ａの外周面に配管５０、５２と接続するためのねじ山が形成された第１部材５６と、一端５８Ａから他端５８Ｂまで貫通する筒状に形成され、一端５８Ａに外周面に配管５０、５２と接続するためのねじ山が形成されるとともに、他端５８Ｂが第１部材５６の他端５６Ｂに挿入することにより第１部材５６に接合される第２部材５８と、第２部材５８の他端５８Ｂの外周面と第１部材５６の他端５６Ｂの内周面の間に設けられたＯリング６０と、一端側６２Ａが第１部材５６の一端側５６Ａから突出するともに、他端側６２Ｂが第２部材５８の一端側５８Ａから突出するように、接合された第１部材５６及ぶ第２部材５８の内周に設けられ、一端側６２Ａと他端側６２Ｂを外側にかしめることにより第１部材５６及び第２部材５８を貫通方向に固定する固定管６２と、を備えている。
【発明の開示】
【発明が解決しようとする課題】
【０００４】
しかしながら、従来の旋回ジョイント５４は、長さが異なる旋回ジョイント５４を作る場合に、第１部材５６及び第２部材５８のいずれかと固定管６２の長さが異なるものを用意する必要があるので、長さが異なる旋回ジョイント５４を作る場合にコストが向上するという問題がある。また、固定管６２の両端６２Ａ、６２Ｂを外側にかしめるので、組み立てる際に専用の冶具を必要とし、その冶具は、旋回ジョイント５４の径の大きさごとに用意する必要がある。
【０００５】
そこで、本発明は、低コストで異なる長さのものを作ることができるとともに、特別な冶具などを必要とせずに容易に作ることができる旋回ジョイントを提供することを目的とする。
【課題を解決するための手段】
【０００６】
以上の目的を達成するため、本発明は、一端から他端まで貫通する筒状に形成され、一端にパイプとの接続部を有する第１部材と、一端から他端まで貫通する筒状に形成され、一端にパイプとの接続部を有するとともに、他端が前記第１部材の他端に挿入することにより前記第１部材に接合される第２部材と、第２部材の他端側の外周面と第１部材の他端側の内周面の間に設けられたＯリングと、を備えた旋回ジョイントにおいて、前記第２部材の他端側は、その先端部分が前記第１部材の一端側の先端よりも突出しており、その突出した先端部分には、前記第１部材及び第２部材を貫通方向に固定する固定部材が装着されていることを特徴とする。
【０００７】
以上のように、本発明に係る旋回ジョイントによれば、第２部材の他端側は、その先端部分が第１部材の一端側の先端よりも突出しており、その突出した先端部分に固定部材を装着させることにより、第１部材及び第２部材を貫通方向に固定しているので、従来の固定管を必要とせず、異なる長さのものを作る場合、例えば第２部材の第１部材に挿入しない部分の長さが異なるものを用意するだけで、第１部材は、同一のものを用いることができるので、低コストで異なる長さのものを作ることができる。
【０００８】
また、このように本発明に係る旋回ジョイントによれば、固定管を必要とせず、固定部材を装着するだけで、第１部材及び第２部材を貫通方向に固定することができるので、組み立てが容易であり、従来の旋回ジョイントの固定管をかしめるような冶具を必要としない。このため、例えば、径の異なるものを組み立てる場合に、その径に合わせた冶具も必要としない。
【０００９】
本発明に係る旋回ジョイントにおいて、前記固定部材は、前記第２部材の突出した先端部分に脱着可能に装着されていることが好ましく、このように固定部材を脱着可能に構成することにより、容易に固定部材を取り外して本発明に係る旋回ジョイントを分解することができるので、例えばＯリングの交換などを容易に行なうことができる。従来の旋回ジョイントは、固定管の両端をかしめてあるため、それを分解することは、難しく、Ｏリングが劣化した場合に、交換することができなかった。
【００１０】
また、本発明に係る旋回ジョイントにおいて、前記第２部材の突出した先端部分には、溝が形成されており、前記固定部材には、前記溝に嵌入可能な突起片が設けられていることが好ましい。
【発明の効果】
【００１１】
以上のように、本発明によれば、低コストで異なる長さのものを作ることができるとともに、特別な冶具などを必要とせずに容易に作ることができる旋回ジョイントを提供することができる。
【発明を実施するための最良の形態】
【００１２】
次に、本発明に係る旋回ジョイントの実施例について図面に基いて説明する。図１は、本実施例に係る旋回ジョイントの正面図であり、図２は、その正面断面図である。本実施例に係る旋回ジョイントは、第２部材１０と、第２部材１０と接合可能な第１部材１２と、を備えている。
【００１３】
第２部材１０は、一端１０Ａから他端１０Ｂまで貫通する筒状に形成されており、一端１０Ａ側の外周面に配管と接続するためのねじ山を形成してなるねじ山部１４と、このねじ山部１４から他端１０Ｂ方向に連続して設けられ、外周面が六角ナット状に形成されたナット部１６と、ナット部１６よりも他端１０Ｂ方向に連続して設けられ、ナット部１６よりも外周が小径である円筒状に形成された中間部１８と、中間部１８よりも他端側１０Ｂ方向に連続して設けられているとともに他端１０Ｂを有し、中間部１８よりも外径が小径である円筒状に形成された他端部２０と、を備えている。
【００１４】
第１部材１２は、一端１２Ａから他端１２Ｂまで貫通する筒状に形成されおり、一端１２Ａ側の外周面に配管と接続するためのねじ山を形成してなるねじ山部２２と、このねじ山部２２から他端１２Ｂ方向に連続して設けられ、外周面が六角ナット状に形成されたナット部２４と、を備えている。
【００１５】
第２部材１０の中間部１８及び他端部２０は、第１部材１２の他端１２Ｂ側から第１部材１２内に挿入して、第２部材１０の他端部２０の先端（他端）１０Ａが、第１部材の一端１２Ａよりも突出するように構成されている。また、第１部材１２の内周は、挿入された第２部材の中間部１８と他端部２０の段差に対向するように段差２６が形成されており、段差２６よりも他端１２Ｂ側は、中間部１８の外径とほぼ同一か若干大きめの内径を有し、段差１２よりも一端１２Ａ側は、他端部２０の外径とほぼ同一か若干大きめの内径を有するよう構成されている。
【００１６】
第２部材１０の中間部１８の外周面の軸方向中間には、その全周に亘って第１溝２８が形成されている。この第１溝２８には、シリコンなどの弾性部材で形成されたＯリング３０が介装されており、このＯリング３０によって第２部材１０と第１部材１２の接合の機密性を維持することができる。また、第２部材１０の他端部２０の第１部材１２の一端１２Ａよりも突出した先端部分の外周面の第１部材１２の一端１２Ａより若干離れた位置には、その全周に亘って第２溝３２が形成されている。この第２溝３２と第１部材１２の一端１２Ａの間には、ワッシャー３４が設けられ、このワッシャー３４の外側には、止め輪３６が設けられている。止め輪３６は、ステンレスから構成されており、図３に示すように円状に形成され、その中心に向かって６つの突出片３８が突出している。この突出片３８は、いずれも図４に示すように上方に傾いており、その先端が第２溝３２に嵌入することにより、止め輪３６がワッシャー３４を第１部材１２の一端１２Ａを押圧し、第２部材１０を第１部材１２に対して固定することができる。
【００１７】
本実施例に係る旋回ジョイント、第１部位材１０の中間部１８と他端部２０を第１部材１２に挿入して、他端部２０の先端を第１部材１２の一端側１２Ａから突出させ、突出した他端部２０にワッシャー３４及び止め輪３６を介装して、止め輪３６の突起片３８を他端部２０の第２溝３２に嵌入させることにより、組み立てることができる。よって、特別な冶具などを必要とせず、容易に組み立てることができる。
【００１８】
また、本実施例に係る旋回ジョイントは、その長さが異なるものを作る場合、例えば、第２部材１０のナット部１６の長さが異なるものを用意すれば、第１部材１２は、同一のものを使用しても良いので、製造コストの低減を図ることができる。さらに、第２部材１０と第１部材１２以外の部品は、汎用品を用いることができるので、この点においても製造コストの低減を図ることができる。
【００１９】
さらに、本実施例に係る旋回ジョイントは、止め輪を外すだけで容易に分解することができるので、例えば、Ｏリングの交換などを容易に行なうことができる。
【図面の簡単な説明】
【００２０】
【図１】本発明に係る旋回ジョイントの実施例の正面図である。
【図２】本実施例に係る旋回ジョイントの正面断面図である。
【図３】止め輪の平面図である。
【図４】本実施例に係る旋回ジョイントの第１部材の一端側の一部拡大図である。
【図５】従来の旋回ジョイントとＬ字状の配管の図である。
【図６】従来の旋回ジョイントの一部切欠き断面図である。
【符号の説明】
【００２１】
１０   第２部材
１０Ａ 一端
１０Ｂ 他端
１２   第１部材
１２Ａ 一端
１２Ｂ 他端
３０   Ｏリング
３６   止め輪（固定部材）
【図１】
2006071024.tif 000003
【図２】
2006071024.tif 000004
【図３】
2006071024.tif 000005
【図４】
2006071024.tif 000006
【図５】
2006071024.tif 000007
【図６】
2006071024.tif 000008